(57)【要約】      （修正有）【課題】光トランシーバを設置する位置が高さ方向に制約されている場合でも干渉せずに設置することができる光トランシーバを提供する。【解決手段】光パッチコードに接続されるハウジングと、このハウジングを保持するトランシーバ本体とを有する光トランシーバにおいて、トランシーバ本体１３とハウジング１５とを二分割して構成すると共に両者を連結する連結機構１６を設け、この連結機構１６を、ハウジング１５が、当該ハウジング１５とトランシーバ本体１３との共通した中心線に沿って正常な姿勢および正常な姿勢から１８０度反転した姿勢のいずれでもそれぞれ連結可能となるような構成とした。【選択図】図１
2013045059.tif 000002
【特許請求の範囲】
【請求項１】
光パッチコードに接続されるハウジングと、このハウジングを保持するトランシーバ本体とを有する光トランシーバにおいて、
前記トランシーバ本体とハウジングとを二分割して構成すると共に両者を連結する連結機構を設け、
前記連結機構を、前記ハウジングが、当該ハウジングと前記トランシーバ本体との共通した中心線に沿って正常な姿勢およびその正常な姿勢から１８０度反転した姿勢のいずれでもそれぞれ連結可能となるような構成としたことを特徴とする光トランシーバ。
【請求項２】
請求項１に記載の光トランシーバにおいて、
前記連結機構を、前記トランシーバ本体とハウジングとの分割面領域で当該トランシーバ本体とハウジングとのそれぞれの幅方向の両側面にわたって設けたことを特徴とする光トランシーバ。
【請求項３】
請求項２に記載の光トランシーバにおいて、
前記連結機構を、前記トランシーバ本体の幅方向両側面に設けた係合部と、この係合部に対応して前記ハウジングの幅方向両側面に設けられた係合穴とで構成したことを特徴とする光トランシーバ。
【請求項４】
請求項３に記載の光トランシーバにおいて、
前記係合部を、前記トランシーバ本体の一端部から前記ハウジング側に延出した延出部と、この延出部の先端に形成され一部が内側に折り曲げられかつ前記係合穴に係合する鍵部とで構成したことを特徴とする光トランシーバ。
【請求項５】
請求項１ないし請求項４のいずれか一つに記載の光トランシーバにおいて、
前記トランシーバ本体の底面部に当該底面部から外方に突出した固定用突起部を設け、
この固定用突起部を光トランシーバ装着用のメインケースに形成されたトランシーバ固定用穴に係合させることで前記ハウジングを備えたトランシーバ本体を前記メインケースに固定可能としたことを特徴とする光トランシーバ。
【請求項６】
請求項５に記載の光トランシーバにおいて、
前記固定用突起部を、その断面形状が三角形となるように形成し当該三角形の一辺を前記底面部に直交させると共に前記三角形の斜辺を前記分割面から離れる方向に向くように配置したことを特徴とする光トランシーバ。
【請求項７】
請求項５または請求項６に記載の光トランシーバにおいて、
前記トランシーバ本体の底面の前記分割面側で当該トランシーバ本体の幅方向に間隔をあけて形成された２つのトランシーバ取り出し用貫通穴を設け、
これらのトランシーバ取り出し用貫通穴を利用して前記メインケースに装着された光トランシーバを取り外すトランシーバ取外し治具を備え、
このトランシーバ取外し治具を、前記トランシーバ取り出し用貫通穴に挿通しかつ前記メインケースの底面の一部を押圧して前記固定用突起部と前記メインケースとの係合を解除する二股部を有する形状に形成したことを特徴とする光トランシーバ。
【発明の詳細な説明】
【技術分野】
【０００１】
本発明は、光トランシーバに係り、さらに詳しくは、当該光トランシーバを高さ方向に制約のある場合でも配置することができる光トランシーバに関する。
【背景技術】
【０００２】
本格的なブロードバンド、ユビキタス社会の到来をむかえ、基幹ネットワーク、加入者系ネットワークの情報トラフィック量は飛躍的に増加し、さまざまなアプリケーションに耐えうる大容量・高信頼の光通信システム、例えば、光トランシーバを使用した光通信装置の需要が急速に高まっている。
そして、需要の高まりに伴い、装置側ではより高密度に光トランシーバを実装することで多数の通信回線を確保するという方法が考えられている。例えば、装置側では高密度に光トランシーバを実装するために、光トランシーバを上下に並べて実装することなどが行われている。
【０００３】
また、隣接するメインケース内にトランシーバが挿入され、光コネクタがそのトランシーバと係合された状態で、目的とする光トランシーバを、当該光トランシーバが装着されたケースから開放する脱着機構を備えた光トランシーバが知られている（例えば、特許文献１参照）。
【先行技術文献】
【特許文献】
【０００４】
【特許文献１】特開２００５−３１７５４０号公報
【発明の概要】
【発明が解決しようとする課題】
【０００５】
一般に、光トランシーバは、内部にプリント基板やフレキシブル基板、および光モジュール等が実装されたトランシーバ本体と、光パッチコードを接続するハウジングとが一体物として形成されている。
【０００６】
しかしながら、上記のようなトランシーバ本体とハウジングとが一体化した光トランシーバを上下に並べて実装する場合、例えば、光パッチコード挿入位置が光トランシーバの中心に来る場合、及び、光パッチコードを２ｃｈ共に挿入できるCompactSFPと言うような形態の場合、上下の光トランシーバの上面を向き合う構成にしてしまうと、ハウジングに挿入したコネクタ部が下段に挿入したものと上段に挿入したものでお互いに干渉してしまい、挿入が出来ないことがある。
【０００７】
また、装置によっては光トランシーバの真上にフロントパネルが配置されているときなど、光トランシーバの使用時に装置側で高さ方向の制約条件が付く場合がある。この場合、光パッチコードのコネクタ部がフロントパネルに干渉して光トランシーバを設置できないと問題がある。その結果、設計変更を余儀なくされることにもなる。
【０００８】
さらに、前記特許文献１の光トランシーバも、トランシーバ本体とハウジングとが一体化したものであり、特許文献１では、前述のように、目的とする光トランシーバを、当該光トランシーバが装着されたケースから開放する脱着機構を備えたものであるが、特許文献１の光トランシーバでも、前述した各問題点が生じている。
【０００９】
本発明の目的は、上述した各課題を解決するために、光トランシーバを設置する位置が高さ方向に制約されている場合でも制約している装置等に干渉せずに設置することができる光トランシーバを提供することにある。
【課題を解決するための手段】
【００１０】
前記目的を達成するために、本願発明の光トランシーバは、光パッチコードに接続されるハウジングと、このハウジングを保持するトランシーバ本体とを有する光トランシーバにおいて、
前記トランシーバ本体とハウジングとを二分割して構成すると共に両者を連結する連結機構を設け、
前記連結機構を、前記ハウジングが、当該ハウジングと前記トランシーバ本体との共通した中心線に沿って正常な姿勢および１８０度反転した姿勢のいずれでもそれぞれ連結可能となるような構成としたことを特徴とする。
【発明の効果】
【００１１】
本願発明の光トランシーバは以上のように構成されているので、光トランシーバを設置する位置が高さ方向に制約されている場合、ハウジングをトランシーバ本体に対して正常な姿勢および反転した姿勢のいずれかの姿勢にして取り付けることができる。その結果、光トランシーバを設置する位置が高さ方向に制約されている場合でも、制約している装置等に干渉せずに光トランシーバを実装できる。
また、新規装置の開発についても、高さ方向に関しての制約に関わりなく光トランシーバを実装することができるので、より柔軟に設計することが可能となる。
【図面の簡単な説明】
【００１２】
【図１】本発明に係る光トランシーバの一実施形態を表し、トランシーバ本体とハウジングとが分割された状態を示す全体分解斜視図である。
【図２】前記実施形態の光トランシーバを示す全体側面図である。
【図３】前記実施形態の光トランシーバを構成するトランシーバ本体とハウジングとを連結する連結機構を表し、図３（Ａ）はトランシーバ本体とハウジングとが離れた状態、図３（Ｂ）はトランシーバ本体とハウジングとが連結する直前の状態、図３（Ｃ）はトランシーバ本体とハウジングとが連結した状態をそれぞれ示す。
【図４】前記実施形態の光トランシーバをメインケースに固定された状態から抜き出す状態を示す側面図である。
【図５】図４のＶ−Ｖ線に沿った平面図である。
【図６】前記実施形態の光トランシーバをメインケースから取り外す際に使用するトランシーバ取外し用治具を示す全体斜視図である。
【図７】前記実施形態の光トランシーバに光パッチコードを装着する直前の状態を示す側面図である。
【図８】前記実施形態の光トランシーバに光パッチコードが装着された状態でハウジングが正常な姿勢を示す側面図である。
【図９】前記実施形態の光トランシーバに光パッチコードが装着された状態でハウジングが正常な姿勢から反転した姿勢を示す側面図である。
【発明を実施するための形態】
【００１３】
以下に、図１〜図９を参照して本発明に係る光トランシーバの一実施形態を説明する。
【００１４】
本実施形態の光トランシーバとしては、例えばSFP（Small Form-factor Pluggabe）トランシーバが適用されている。
【００１５】
図１に示すように、光トランシーバ１０には、光パッチコード１４（図７，８等参照）が装備されるようになっている。
本実施形態の光トランシーバ１０は、トランシーバ本体１３とハウジング１５とに二分割して構成され、これらのトランシーバ本体１３とハウジング１５とは連結機構１６により連結される構成となっている。
そして、トランシーバ本体１３に対して、ハウジング１５が、図１，２等に示すように、トランシーバ本体１３とハウジング１５との共通の中心線ＣＬに沿った正常な姿勢と、その姿勢から１８０度反転した、図９に示すような反転姿勢との２種類の姿勢で連結可能となっている。
なお、図１において、斜め左下側を前方、斜め右上側を後方とし、斜め上側を上方、斜め下側を下方とする。
【００１６】
トランシーバ本体１３は、例えば薄型鋼板により直方体の筒状に形成されている。ただし、合成樹脂製としてもよい。このようなトランシーバ本体１３の内部には、光モジュール１１およびプリント配線基板１２等が装備されている。
【００１７】
また、ハウジング１５もトランシーバ本体１３と同様に、例えば薄型鋼板あるいは合成樹脂により形成されており、トランシーバ本体１３の長手方向に沿った仕切り部により仕切られて２つの開口部１５Ａ，１５Ａが形成されている。そして、ハウジング１５には、その開口部１５Ａから挿通されて前記光パッチコード１４（図４参照）が装備されるようになっている。
【００１８】
図１に示すように、前記プリント配線基板１２には、電気回路および電気回路部品（図略）が実装され、この電気回路に前記光モジュール１１が接続されている。
【００１９】
ここで、電気回路と光モジュール１１との接続方法については、フレキシブル基板や、リード線など、光モジュール１１とプリント配線基板１２とを接続可能な方法であればどのような方法であってもよい。
【００２０】
また、光モジュール１１は、発光素子としてレーザダイオード、受光素子としてフォトダイオード、光ファイバとの軸あわせに使用されるフェルールなどを備えた光学部品であり、例えば、TOSA（Transmitter Optical SubAssembly）や、ROSA(Receiver Optical SubAssembly)や、BOSA（Bi-directional Optical Sub Assembly）等が挙げられる。
【００２１】
光モジュール１１とプリント配線基板１２とは、前述のようにトランシーバ本体１３内に装備されている。
そして、トランシーバ本体１３とハウジング１５とを前記連結機構１６により連結、固定し、これにより前記SFPトランシーバ１０が構成される。
【００２２】
前記連結機構１６は、前述したように、ハウジング１５をトランシーバ本体１３に対して正常な姿勢（図１，２等参照）、または反転した姿勢（図９等参照）で連結できるように構成されている。
連結機構１６は、トランシーバ本体１３の幅方向両側面にそれぞれ形成された係合部１７と、ハウジング１５の幅方向両側面にそれぞれ形成されると共に前記係合部１７と係合する係合穴１８とで構成されている。
【００２３】
各係合部１７は、図３に示すように、それぞれ、トランシーバ本体１３の一端部（ハウジング１５側）からハウジング１５側に延出した板状の延出部１７Ａと、この延出部１７Ａの先端に形成され一部が内側に鋭角（断面レ状）に折り曲げられたやじり状の鍵部１７Ｂとで形成されている。
【００２４】
また、係合穴１８は、上述のようにハウジング１５の幅方向両側面に形成されると共に係合部１７の鍵部１７Ｂが挿入される長方形形状の穴に形成されている。
【００２５】
ここで、図２に基づいて、係合部１７と係合穴１８との寸法関係を説明する。
係合部１７の延出部１７Ａの幅寸法がｗのとき、トランシーバ本体１３の下面から延出部１７Ａの下端面までの高さ寸法、およびトランシーバ本体１３の上面から延出部１７Ａの上端面までの高さ寸法がｔとなっている。
【００２６】
これに対して、ハウジング１５の係合穴１８の幅寸法はＷに形成されており、ハウジング１５の下面から係合穴１８の下端面までの高さ寸法はＴに形成されている。
係合穴１８の幅寸法Ｗは、延出部１７Ａの幅寸法ｗより所定寸法大きな寸法に設定されており、延出部１７Ａの鍵部１７Ｂが余裕をもって嵌まり込めるようになっている。
また、ハウジング１５の下面から係合穴１８の下端面までの高さ寸法Ｔは、上記高さ寸法ｔより大きな寸法に設定されており、延出部１７Ａが係合穴１８の幅方向略中央部に位置するようになっている。
【００２７】
ハウジング１５とトランシーバ本体１３との高さ方向の寸法が上記のように設定されていることから、ハウジング１５を、図２等に示す正常な姿勢から反転して、図９に示すように反転した姿勢としたとき、トランシーバ本体１３の上面から延出部１７Ａの上端面までの高さ寸法ｔに対して、ハウジング１５の下面から係合穴１８の下端面までの高さ寸法Ｔが対応するので、ハウジング１５を反転しても、トランシーバ本体１３に連結することができる。
【００２８】
次に、連結機構１６により、トランシーバ本体１３とハウジング１５とが連結される状態を説明する。
図３（Ａ）はトランシーバ本体１３とハウジング１５とが離れた状態であり、この状態から、例えばハウジング１５を矢印Ｓ方向に移動させる。すると、ハウジング１５の先端面が係合部１７の鍵部１７Ｂの傾斜面と当接し、さらに前進することにより係合部１７の延出部１７Ａおよび鍵部１７Ｂが図３（Ｂ）に示すように、トランシーバ本体１３の側面側の外方に拡げられる。
【００２９】
図３（Ｂ）の状態からハウジング１５を矢印Ｓ方向にさらに移動させると、上記鍵部１７Ｂの先端が係合穴１８に挿入され、これにより、図３（Ｃ）に示すように、係合部１７の鍵部１７Ｂと係合穴１８とが係合し、その結果、トランシーバ本体１３とハウジング１５とが連結されることになる。
【００３０】
トランシーバ本体１３とハウジング１５との連結を解除、つまりハウジング１５をトランシーバ本体１３から切り離すには、例えばハウジング１５の内側から、図示しない取外し治具により鍵部１７Ｂの先端をトランシーバ本体１３の側面側の外方に向けて押圧して、鍵部１７Ｂと係合穴１８との係合を外し、その状態で、ハウジング１５を上記矢印Ｓ方向と逆方向に引っ張り出すことにより行われる。
【００３１】
図１、図２等に示すように、トランシーバ本体１３の底面１３Ｃでハウジング１５側の前面部には、トランシーバ本体１３の幅方向に間隔をあけて２つの固定解除穴１３Ａが形成されている。これらの固定解除穴１３Ａは、トランシーバ本体１３の長手方向に沿って長い四角形状に形成され底面１３Ｃを貫通している。
【００３２】
また、トランシーバ本体１３の底面１３Ｃには、ケース固定用の１つの突起部１３Ｂが設けられている。この突起部１３Ｂは略四角錐状に形成されており、図２に示すように、略四角錐状の底面部に該当する面がトランシーバ本体１３の底面１３Ｃに直交すると共に斜面の一面をトランシーバ本体１３の底面１３Ｃに当接させて固着されている。この突起部１３Ｂは、前記２つの固定解除穴１３Ａ，１３Ａの略中間位置に、かつ固定解除穴１３Ａ，１３Ａからトランシーバ本体１３の長手方向の奥側寄りに形成されている。
【００３３】
突起部１３Ｂは、図４に示すように、光トランシーバ１０をメインケース２０に装着し、固定するために、メインケース２０にあけられた固定用穴２０Ａに挿入されるようになっている。
すなわち、メインケース２０の底面２０Ｃには略四角形形状の貫通穴が形成され、この貫通穴が上記固定用穴２０Ａを構成しており、光トランシーバ１０のトランシーバ本体１３がメインケース２０内に挿入され、突起部１３Ｂが固定用穴２０Ａに嵌り込んだとき、光トランシーバ１０がメインケース２０に固定されるようになっている。
なお、図４では、前記光モジュール１１およびプリント配線基板１２等は省略されている。
【００３４】
また、メインケース２０の底面２０Ｃにおいて固定用穴２０Ａの前面部（ハウジング１５側）には、図６，７に示すように、一部が平面形状で凸状に突出したベロ部２０Ｂが形成されている。そして、このベロ部２０Ｂは、メインケース２０に光トランシーバ１０を取り付け、取り外す際に利用されるものである。
なお、図７では、前記光モジュール１１およびプリント配線基板１２等は省略されている。
【００３５】
すなわち、図４に示すように、メインケース２０に装着された光トランシーバ１０を取り外す場合、まず、トランシーバ本体１３の底面２０Ｃに形成されている２つの固定解除穴１３Ａに専用のトランシーバ取外し治具２５の先端部２５Ａを差込むと共に、その先端部２５Ａでメインケース２０の上記ベロ部２０Ｂを下方に押圧する（図４の仮想線で示す）。
【００３６】
ベロ部２０Ｂが押されてトランシーバ本体１３の突起部１３Ｂと固定用穴２０Ａとの係合が外れたとき、トランシーバ本体１３を手前に引き出せば当該トランシーバ本体１３をメインケース２０から取り外すことができる。
【００３７】
上記のようにメインケース２０に装着された光トランシーバ１０を取り外す場合に対して、光トランシーバ１０をメインケース２０に装着する場合は、光トランシーバ１０のトランシーバ本体１３をメインケース２０に挿入し、押し込んで行く。
トランシーバ本体１３の突起部１３Ｂがメインケース２０の入り口に差し掛かると、突起部１３Ｂの傾斜面が上記ベロ部２０Ｂを下方に押しながら移動する。そして、さらに移動すると、突起部１３Ｂの傾斜面の先端部がメインケース２０の固定解除穴１３Ａに嵌り込み、光トランシーバ１０がメインケース２０に固定される。
【００３８】
次に、図６に基づいて、前記トランシーバ取外し治具２５を説明する。
トランシーバ取外し治具２５は平面コ字状に形成され、対向する２本のバー部２５Ａ，２５Ａの先端に、一方向に突出した嘴状の突起部２５Ｂが形成されている。
【００３９】
そして、このトランシーバ取外し治具２５によるメインケース２０からの光トランシーバ１０の取り外しは、トランシーバ取外し治具２５をハウジング１５の開口部１５Ａから挿入し、トランシーバ取外し治具２５の突起部２５Ｂをメインケース２０の固定解除穴１３Ａに引っ掛け、持ち手を上に持ち上げることでメインケース２０のベロ部２０Ｂを押し込み、トランシーバ本体１３の突起部１３Ｂと固定用穴２０Ａとの係合を外して、光トランシーバ１０を矢印Ｂ方向に引き抜くことで、メインケース２０から光トランシーバ１０を取り外すことができる。
【００４０】
本実施形態では、前述のように、ハウジング１５を、図１，２等に示す正常な姿勢と、その姿勢から１８０度反転させた図９に示すような反転姿勢とにすることができる。
【００４１】
すなわち、前述のように、光トランシーバ１０を、高さ方向に制約のある環境で使用しなければならない場合がある。
例えば、図８に仮想線で示すように、光トランシーバ１０の直上に所定のフロントパネル５０が配置されている場合、図１，２等に示すような正常な姿勢では、光トランシーバ１０に装備されたレセクタプル部１４Ａがフロントパネル５０に干渉するために、光トランシーバ１０をメインケース２０に装着することができない。
そこで、使用者はハウジング１５を取り外し、１８０度回転させて図９に示すように、メインケース２０に再度固定することで高さ方向の向きを変え、つまり、上述のように反転姿勢とすることでパッチコード１４を容易に挿入できる。その結果、フロントパネル５０との干渉を防ぐことが可能となる。
なお、図８，９では、前記光モジュール１１およびプリント配線基板１２等は省略されている。
【００４２】
以上のような構成の一実施形態の光トランシーバ１０によれば、次のような効果が得られる。
（１）光トランシーバ１０を設置する位置が高さ方向に制約されている場合でも、ハウジング１５を正常な姿勢または反転した姿勢にして取り付けることができるので、高さ方向を制約する装置等に干渉せずに光トランシーバ１０を実装できる。その結果、より高密度に光トランシーバ１０を実装することで多数の通信回線を確保することができる。
【００４３】
（２）新規装置の開発についても、高さ方向に関しての制約に関わりなく光トランシーバ１０を実装することができるので、より柔軟に設計することが可能となる。
【００４４】
（３）連結機構１６が、トランシーバ本体１３の幅方向両側面にそれぞれ形成された係合部１７と、ハウジング１５の幅方向両側面にそれぞれ形成された係合穴１８とで構成され、例えばハウジング１５をトランシーバ本体１３側にスライドさせると、ハウジング１５の係合穴１８に係合部１７の鍵部１７Ｂが嵌まり込み、両者１３，１５が連結されるようになっているので、連結機構１６の構成が簡単であり、作業も容易である。
【００４５】
（４）トランシーバ本体１３の底面１３Ｃにケース固定用の１つの突起部１３Ｂが設けられており、トランシーバ本体１３をメインケース２０に挿入し、スライドさせることで、突起部１３Ｂがメインケース２０にあけられた固定用穴２０Ａに嵌まり込み、トランシーバ本体１３つまり光トランシーバ１０がメインケース２０に固定される。突起部１３Ｂは固定用穴２０Ａに嵌まり込んだ後は、メインケース２０のベロ部２０Ｂを押し広げない限りトランシーバ本体１３を取り出すことができない形状なので、光トランシーバ１０をメインケース２０に確実に固定することができる。
【００４６】
（５）ハウジング１５をトランシーバ本体１３に対して、正常な姿勢と１８０度反転させた反転姿勢とにできるので、光トランシーバ１０の直上に所定のフロントパネル５０が配置されており、正常な姿勢では、光トランシーバ１０に装備されたレセクタプル部１４Ａがフロントパネル５０に干渉し、光トランシーバ１０をメインケース２０に装着することができないような設置条件の場合でも、ハウジング１５を取り外し、１８０度反転させ、メインケース２０に再度固定することで高さ方向の向きを変えることでパッチコード１４を容易に挿入でき、フロントパネル５０との干渉を防ぐことができる。その結果、そのつど設計変更などせずにすみ、柔軟な取り扱いが可能となる。
【００４７】
以上、上記実施形態を参照して本発明を説明したが、本発明は上記実施形態に限定されるものではない。本発明の構成や詳細については、当業者が理解し得るさまざまな変更を加えることができる。また、本発明には、上記実施形態の構成の一部又は全部を相互に適宜組み合わせたものも含まれる。
【００４８】
例えば、前記実施形態では、SFPトランシーバを例に挙げたが、SFFトランシーバでもこの構造を適用してもよい。同様にCompactSFF、CompactSFPトランシーバでもこの構造を適用してもよい。
【００４９】
また、前記実施形態では、トランシーバ取外し治具２５を、二股状、つまり平面コ字状に形成されると共に、対向する２本のバー部２５Ａ，２５Ａの先端に嘴状の突起部２５Ｂを有する形状に形成したが、これに限らない。例えば、一芯SFPに使用するために棒状のものを使用してもよい。
【００５０】
さらに、前記実施形態では、トランシーバ本体１３の突起部１３Ｂの形状を略四角錐状に形成して用いたが、これに限らず、所定厚さの板材を直角三角形状に形成した突起部を用いてもよい。このような形状にすれば、製作が容易である。
【００５１】
また、前記実施形態では、連結機構１６は、トランシーバ本体１３の幅方向両側面にそれぞれ形成された係合部１７と、ハウジング１５の幅方向両側面にそれぞれ形成されると共に前記係合部１７と係合する係合穴１８とで構成されている。これに限らず、市販されているパッチン錠をトランシーバ本体１３とハウジング１５の両者間に架けわたして設け、そのパッチン錠を連結機構として用いてもよい。
【００５２】
（付記１）
光パッチコードに接続されるハウジングと、このハウジングを保持するトランシーバ本体とを有する光トランシーバにおいて、
前記トランシーバ本体とハウジングとを二分割して構成すると共に両者を連結する連結機構を設け、
前記連結機構を、前記ハウジングが当該ハウジングと前記トランシーバ本体との共通した中心線に沿って正常な姿勢および１８０度反転した姿勢のいずれでもそれぞれ連結可能な構成としたことを特徴とする光トランシーバ。
【００５３】
（付記２）
付記１に記載の光トランシーバにおいて、
前記連結機構を、前記トランシーバ本体とハウジングとの分割面領域で当該トランシーバ本体とハウジングとのそれぞれの幅方向の両側面にわたって設けたことを特徴とする光トランシーバ。
【００５４】
（付記３）
付記２に記載の光トランシーバにおいて、
前記連結機構を、前記トランシーバ本体の幅方向両側面に設けた係合部と、この係合部に対応して前記ハウジングの幅方向両側面に設けられた係合穴とで構成したことを特徴とする光トランシーバ。
【００５５】
（付記４）
付記３記載の光トランシーバにおいて、
前記係合部を、前記トランシーバ本体の一端部から前記ハウジング側に延出した延出部と、この延出部の先端に形成され一部が内側に折り曲げられかつ前記係合穴に係合する鍵部とで構成したことを特徴とする光トランシーバ。
【００５６】
（付記５）
付記１ないし付記４のいずれか一つに記載の光トランシーバにおいて、
前記トランシーバ本体の底面部に当該底面部から外方に突出した固定用突起部を設け、
この固定用突起部を光トランシーバ装着用のメインケースに形成されたトランシーバ固定用穴に係合させることで前記ハウジングを備えたトランシーバ本体を前記メインケースに固定可能としたことを特徴とする光トランシーバ。
【００５７】
（付記６）
付記５に記載の光トランシーバにおいて、
前記固定用突起部を、その断面形状が三角形となるように形成し当該三角形の一辺を前記底面部に直交させると共に前記三角形の斜辺を前記分割面から離れる方向に向くように配置したことを特徴とする光トランシーバ。
【００５８】
（付記７）
付記５または付記６に記載の光トランシーバにおいて、
前記トランシーバ本体の底面の前記分割面側で当該トランシーバ本体の幅方向に間隔をあけて形成された２つのトランシーバ取り出し用貫通穴を設け、
これらのトランシーバ取り出し用貫通穴を利用して前記メインケースに装着された光トランシーバを取り外すトランシーバ取外し治具を備え、
このトランシーバ取外し治具を、前記トランシーバ取り出し用貫通穴に挿通しかつ前記メインケースの底面の一部を押圧して前記固定用突起部と前記メインケースとの係合を解除する二股部を有する形状に形成したことを特徴とする光トランシーバ。
内部に光モジュールおよびプリント配線基板が収容されたトランシーバ本体と、
このトランシーバ本体の長さ方向の一端部に着脱可能に取り付けられると共に光パッチコードが挿通可能となったハウジングとを備えて構成し、
前記トランシーバ本体とハウジングとにわたって当該トランシーバ本体とハウジングを係脱自在とする係合部を設けたことを特徴とする光トランシーバ。
【産業上の利用可能性】
【００５９】
本願発明は、ハウジングを通常の姿勢または反転した姿勢でトランシーバ本体に連結して光トランシーバを構成する際に利用できる。
【符号の説明】
【００６０】
１０  光トランシーバ
１１  光モジュール
１２  プリント配線基板
１３  トランシーバ本体
１３Ａ  固定解除穴
１３Ｂ  突起部
１４  光パッチコード
１５  ハウジング
１６  連結機構
１７  係合部
１７Ａ  延出部
１７Ｂ  鍵部
１８  係合穴
２０  メインケース
２０Ａ  固定用穴
２０Ｂ  ベロ部
【図１】
2013045059.tif 000003
【図２】
2013045059.tif 000004
【図３】
2013045059.tif 000005
【図４】
2013045059.tif 000006
【図５】
2013045059.tif 000007
【図６】
2013045059.tif 000008
【図７】
2013045059.tif 000009
【図８】
2013045059.tif 000010
【図９】
2013045059.tif 000011